(57)【要約】【課題】コンテンツのブラウジングがスムーズに行え、しかも、特定の領域をユーザへ提示することができるコンテンツ送信装置を提供する。【解決手段】カメラを備えた携帯端末２の動きを示す動きパラメータを求め（Ｓ２）、コンテンツから取得すべき取得領域を動きパラメータを基に決定し（Ｓ３）、決定された取得領域を取得し携帯端末２に送信する（Ｓ５）。また、指定領域に取得領域が存在する（Ｓ４：ＹＥＳ）場合は、フィードバック信号を携帯端末２に送信する（Ｓ６）。【選択図】図３
2006309618.tif 000002
【特許請求の範囲】
【請求項１】
送信されたコンテンツを表示するコンテンツ表示装置の撮像手段により当該コンテンツ表示装置が動かされたときに撮像された映像によりコンテンツ表示装置の動きを示す動きパラメータを求める動き推定手段と、
予め記憶されたコンテンツから取得すべき取得領域を前記求められた動きパラメータを基に決定する取得領域決定手段と、
前記予め記憶されたコンテンツから前記決定された取得領域を取得し、当該取得された取得領域をコンテンツとして前記コンテンツ表示装置に送信するコンテンツ送信手段と、
予め記憶された前記コンテンツ内で予め指定された指定領域の位置が記憶される指定領域位置記憶手段と、
前記指定領域位置記憶手段に記憶された前記指定領域の位置を基に当該指定領域への前記決定された取得領域の存否を判定する存否判定手段と
を備えることを特徴とするコンテンツ送信装置。
【請求項２】
前記存否判定手段により肯定的な判定結果が得られた場合、その旨を示すフィードバック信号を前記コンテンツ表示装置に送信するフィードバック信号送信手段を備えることを特徴とする請求項１記載のコンテンツ送信装置。
【請求項３】
前記存否判定手段により肯定的な判定結果が得られた場合、前記コンテンツ表示装置に送信されるコンテンツを編集するコンテンツ編集手段を備えることを特徴とする請求項１または２記載のコンテンツ送信装置。
【請求項４】
前記指定領域と前記決定された取得領域の距離に応じて動きパラメータを変換するパラメータ変換手段を備え、
前記取得領域決定手段は、当該変換された動きパラメータを基に取得領域を決定する
ことを特徴とする請求項１ないし３のいずれかに記載のコンテンツ送信装置。
【請求項５】
送信されたコンテンツを表示するコンテンツ表示装置の撮像手段が当該コンテンツ表示装置が動かされたときの映像を撮像したときの撮像された映像によりコンテンツ表示装置の動きを示す動きパラメータを求める動き推定手段と、予め記憶されたコンテンツから取得すべき取得領域を前記求められた動きパラメータを基に決定する取得領域決定手段と、前記予め記憶されたコンテンツから前記決定された取得領域を取得し、当該取得された取得領域をコンテンツとして前記コンテンツ表示装置に送信するコンテンツ送信手段と、予め記憶された前記コンテンツ内で予め指定された指定領域の位置が記憶される指定領域位置記憶手段とを備えたコンテンツ送信装置に設けられた存否判定手段が、
前記指定領域位置記憶手段に記憶された前記指定領域の位置を基に当該指定領域への前記決定された取得領域の存否を判定することを特徴とするコンテンツ送信装置制御方法。
【請求項６】
前記コンテンツ送信装置に設けられたフィードバック信号送信手段が、前記存否判定手段により肯定的な判定結果が得られた場合、その旨を示すフィードバック信号を前記コンテンツ表示装置に送信することを特徴とする請求項５記載のコンテンツ送信装置制御方法。
【請求項７】
前記コンテンツ送信装置に設けられたコンテンツ編集手段が、前記存否判定手段により肯定的な判定結果が得られた場合、前記コンテンツ表示装置に送信されるコンテンツを編集することを特徴とする請求項５記載のコンテンツ送信装置制御方法。
【請求項８】
送信されたコンテンツを表示するコンテンツ表示装置の撮像手段が当該コンテンツ表示装置が動かされたときの映像を撮像したときの撮像された映像によりコンテンツ表示装置の動きを示す動きパラメータを求める動き推定手段と、予め記憶されたコンテンツから取得すべき取得領域を前記求められた動きパラメータを基に決定する取得領域決定手段と、前記予め記憶されたコンテンツから前記決定された取得領域を取得し、当該取得された取得領域をコンテンツとして前記コンテンツ表示装置に送信するコンテンツ送信手段と、予め記憶された前記コンテンツ内で予め指定された指定領域の位置が記憶される指定領域位置記憶手段と、前記指定領域位置記憶手段に記憶された前記指定領域の位置を基に当該指定領域への前記決定された取得領域の存否を判定する存否判定手段とを備えるコンテンツ送信装置に設けられたパラメータ変換手段が、前記指定領域と前記決定された取得領域の距離に応じて前記求められた動きパラメータを変換し、前記取得領域決定手段が、当該変換された動きパラメータを基に取得領域を決定することを特徴とするコンテンツ送信装置制御方法。
【請求項９】
請求項１ないし４のいずれかに記載のコンテンツ送信装置としてコンピュータを機能させるコンピュータプログラム。
【請求項１０】
請求項９記載のコンピュータプログラムが記録されたコンピュータ読み取り可能な記録媒体。
【発明の詳細な説明】
【技術分野】
【０００１】
本発明は、コンテンツのブラウジングがスムーズに行え、しかも指定領域をユーザへ提示することができるコンテンツ送信装置およびコンテンツ送信装置制御方法に関するものである。
【背景技術】
【０００２】
従来において、ユーザに携帯される携帯電話端末などのコンテンツ表示装置の表示部に地図などのコンテンツの一部領域を表示させているときにボタン操作やスクロール操作が行われるとその操作方向の領域を表示させることで経路案内する技術が開示されている（特許文献１参照）。
【特許文献１】特開２００１−２８９６６３号公報
【発明の開示】
【発明が解決しようとする課題】
【０００３】
しかしながら、従来においては、ボタン等が小さいのでその操作が不便であり、そのため、コンテンツのブラウジングがスムーズに行えないという問題点があった。
【０００４】
また、コンテンツの中に課金が必要な領域等がある場合、その領域をユーザへ提示できなかった。
【０００５】
本発明は、上記の課題に鑑みてなされたものであり、その目的とするところは、コンテンツのブラウジングがスムーズに行え、しかも、特定の領域をユーザへ提示することができるコンテンツ送信装置およびコンテンツ送信装置制御方法を提供することにある。
【課題を解決するための手段】
【０００６】
上記の課題を解決するために、請求項１の本発明は、送信されたコンテンツを表示するコンテンツ表示装置の撮像手段により当該コンテンツ表示装置が動かされたときに撮像された映像によりコンテンツ表示装置の動きを示す動きパラメータを求める動き推定手段と、予め記憶されたコンテンツから取得すべき取得領域を前記求められた動きパラメータを基に決定する取得領域決定手段と、前記予め記憶されたコンテンツから前記決定された取得領域を取得し、当該取得された取得領域をコンテンツとして前記コンテンツ表示装置に送信するコンテンツ送信手段と、予め記憶された前記コンテンツ内で予め指定された指定領域の位置が記憶される指定領域位置記憶手段と、前記指定領域位置記憶手段に記憶された前記指定領域の位置を基に当該指定領域への前記決定された取得領域の存否を判定する存否判定手段とを備えることを特徴とするコンテンツ送信装置をもって解決手段とする。
【０００７】
請求項２の本発明は、前記存否判定手段により肯定的な判定結果が得られた場合、その旨を示すフィードバック信号を前記コンテンツ表示装置に送信するフィードバック信号送信手段を備えることを特徴とする請求項１記載のコンテンツ送信装置をもって解決手段とする。
【０００８】
請求項３の本発明は、前記存否判定手段により肯定的な判定結果が得られた場合、前記コンテンツ表示装置に送信されるコンテンツを編集するコンテンツ編集手段を備えることを特徴とする請求項１または２記載のコンテンツ送信装置をもって解決手段とする。
【０００９】
請求項４の本発明は、前記指定領域と前記決定された取得領域の距離に応じて動きパラメータを変換するパラメータ変換手段を備え、前記取得領域決定手段は、当該変換された動きパラメータを基に取得領域を決定することをを特徴とする請求項１ないし３のいずれかに記載のコンテンツ送信装置をもって解決手段とする。
【００１０】
請求項５の本発明は、送信されたコンテンツを表示するコンテンツ表示装置の撮像手段が当該コンテンツ表示装置が動かされたときの映像を撮像したときの撮像された映像によりコンテンツ表示装置の動きを示す動きパラメータを求める動き推定手段と、予め記憶されたコンテンツから取得すべき取得領域を前記求められた動きパラメータを基に決定する取得領域決定手段と、前記予め記憶されたコンテンツから前記決定された取得領域を取得し、当該取得された取得領域をコンテンツとして前記コンテンツ表示装置に送信するコンテンツ送信手段と、予め記憶された前記コンテンツ内で予め指定された指定領域の位置が記憶される指定領域位置記憶手段とを備えたコンテンツ送信装置に設けられた存否判定手段が、前記指定領域位置記憶手段に記憶された前記指定領域の位置を基に当該指定領域への前記決定された取得領域の存否を判定することを特徴とするコンテンツ送信装置制御方法をもって解決手段とする。
【００１１】
請求項６の本発明は、前記コンテンツ送信装置に設けられたフィードバック信号送信手段が、前記存否判定手段により肯定的な判定結果が得られた場合、その旨を示すフィードバック信号を前記コンテンツ表示装置に送信することを特徴とする請求項５記載のコンテンツ送信装置制御方法をもって解決手段とする。
【００１２】
請求項７の本発明は、前記コンテンツ送信装置に設けられたコンテンツ編集手段が、前記存否判定手段により肯定的な判定結果が得られた場合、前記コンテンツ表示装置に送信されるコンテンツを編集することを特徴とする請求項５記載のコンテンツ送信装置制御方法をもって解決手段とする。
【００１３】
請求項８の本発明は、送信されたコンテンツを表示するコンテンツ表示装置の撮像手段が当該コンテンツ表示装置が動かされたときの映像を撮像したときの撮像された映像によりコンテンツ表示装置の動きを示す動きパラメータを求める動き推定手段と、予め記憶されたコンテンツから取得すべき取得領域を前記求められた動きパラメータを基に決定する取得領域決定手段と、前記予め記憶されたコンテンツから前記決定された取得領域を取得し、当該取得された取得領域をコンテンツとして前記コンテンツ表示装置に送信するコンテンツ送信手段と、予め記憶された前記コンテンツ内で予め指定された指定領域の位置が記憶される指定領域位置記憶手段と、前記指定領域位置記憶手段に記憶された前記指定領域の位置を基に当該指定領域への前記決定された取得領域の存否を判定する存否判定手段とを備えるコンテンツ送信装置に設けられたパラメータ変換手段が、前記指定領域と前記決定された取得領域の距離に応じて前記求められた動きパラメータを変換し、前記取得領域決定手段が、当該変換された動きパラメータを基に取得領域を決定することを特徴とするコンテンツ送信装置制御方法をもって解決手段とする。
【００１４】
請求項９の本発明は、請求項１ないし４のいずれかに記載のコンテンツ送信装置としてコンピュータを機能させるコンピュータプログラムをもって解決手段とする。
【００１５】
請求項１０の本発明は、請求項９記載のコンピュータプログラムが記録されたコンピュータ読み取り可能な記録媒体をもって解決手段とする。
【発明の効果】
【００１６】
本発明によれば、コンテンツのブラウジングがスムーズに行え、しかもフィードバック、コンテンツ編集、コンテンツの動きなどにより、指定領域（例えば、課金が必要な領域）をユーザへ提示することができる。
【発明を実施するための最良の形態】
【００１７】
以下、本発明に係るコンテンツ送信装置およびコンテンツ送信装置制御方法の実施の形態を図面を参照して説明する。
【００１８】
［第１の実施の形態］
図１は、第１の実施の形態に係るコンテンツ表示システムの構成を示す図である。
【００１９】
コンテンツ送信装置１は、あるユーザに携帯される携帯端末２（コンテンツ表示装置）にコンテンツを表示させるものであり、両者は伝送路Ｎ１を介して接続される。また、コンテンツ送信装置１は、コンテンツを記憶するコンテンツ記憶部３１とコンテンツ内で予め指定された指定領域の位置が記憶される指定領域位置記憶部３２とを備えるコンテンツ記憶装置３に伝送路Ｎ２を介して接続される。なお、コンテンツ記憶装置３をコンテンツ送信装置１が備えてもよい。
【００２０】
コンテンツ送信装置１は、携帯端末２から送信された映像を受信する映像受信部１０１と、携帯端末２の動きを推定する動き推定部１０２（動き推定手段）と、コンテンツ記憶装置３に記憶されたコンテンツが一時的に記憶されるコンテンツ記憶部１０３と、コンテンツから取得すべき取得領域を決定する取得領域決定部１０４（取得領域決定手段）と、取得された取得領域をコンテンツとして携帯端末２に送信するコンテンツ送信部１０５（コンテンツ送信手段）と、指定領域の位置が記憶される指定領域位置記憶部１０６（指定領域位置記憶手段）と、取得領域が指定領域に存在するか否かを判定する存否判定部１０７（存否判定手段）と、取得領域が指定領域に存在することを示すフィードバック信号を携帯端末２に送信するフィードバック信号送信部１０８（フィードバック信号送信手段）を備える。
【００２１】
携帯端末２は、携帯端末２の本体に位置を固定されたカメラ２１（撮像手段）と、カメラ２１で撮像された映像を送信する映像送信部２２と、コンテンツ送信装置１から送信されたコンテンツを受信するコンテンツ受信部２３と、受信されたコンテンツが表示されるコンテンツ表示部２４と、フィードバック信号を受信するフィードバック信号受信部２５と、ユーザへのフィードバックを行うフィードバック部２６を備える。
【００２２】
図２は、表示されるコンテンツが携帯端末２の動きに応じて動く様子ならびに指定領域の例を示す図である。
【００２３】
図２に示すように、例えば、コンテンツ１００内の正方形１０１を含む取得領域１０１１が取得され、コンテンツとして携帯端末２のコンテンツ表示部２４に表示されているときに、ユーザが携帯端末２を右へ動かすと、コンテンツ１００内の長方形１０２の一部を含む取得領域１０２１が取得され、携帯端末２のコンテンツ表示部２４に表示されるようになり、その後、ユーザが携帯端末２を左へ動かすと、再び取得領域１０１１が取得され表示される。また、例えば、表示の際に課金される円１０３の領域を含む指定領域１０３１に取得領域が、例えば一部でも存在すればユーザへのフィードバックが行われる。
【００２４】
次に、図１のコンテンツ表示システムの動作を説明する。
【００２５】
図３は、第１の実施の形態のフローチャートである。
【００２６】
例えば、携帯端末２が動かされたときに、カメラ２１が撮像を開始し（Ｄ１：ＹＥＳ）、映像送信部２２が撮像された映像をコンテンツ送信装置１へ送信する（Ｄ２）。
【００２７】
コンテンツ送信装置１で映像受信部１０１が映像を受信した場合（Ｓ１：ＹＥＳ）は、その映像により、動き推定部１０２が携帯端末２の動きを推定する（Ｓ２）。なお、一定時間経過後に映像が受信されない場合（Ｓ１：ＮＯ）は、コンテンツ送信装置１が自身の処理を終了させる。
【００２８】
ステップＳ２で動き推定部１０２は、ベクトル情報である動きパラメータη（ｄｘ，ｄｙ）を求める。ｄｘは、例えば携帯端末２の横方向であるｘ方向（カメラでいうパン方向）の動きを示すものであり、ｄｙは、例えば携帯端末２の縦方向であるｙ方向（カメラでいうチルト方向）の動きを示すものである。
【００２９】
次に、取得領域決定部１０４が、コンテンツから取得すべき取得領域を、求められた動きパラメータηを基に決定する（Ｓ３）。
【００３０】
次に、存否判定部１０７が、指定領域位置記憶部１０６（または、コンテンツ記憶装置３の指定領域位置記憶部３２）に記憶された指定領域の位置を基に当該指定領域に当該決定された取得領域が存在するか否かを判定する（Ｓ４）。
【００３１】
次に、コンテンツ送信部１０５は、コンテンツ記憶部１０３（または、コンテンツ記憶装置３のコンテンツ記憶部３１）に記憶されたコンテンツから当該決定された取得領域を取得し、これをコンテンツとして携帯端末２に送信する（Ｓ５）。
【００３２】
また、ステップＳ４でＹＥＳと判定された場合は、フィードバック信号送信部１０８が、指定領域に取得領域が存在することを示すフィードバック信号を携帯端末２に送信する（Ｓ６）。
【００３３】
携帯端末２では、コンテンツ受信部２３が、送信されたコンテンツを受信し（Ｄ３：ＹＥＳ）、コンテンツ表示部２４に表示させる（Ｄ４）。
【００３４】
また、フィードバック信号が送信された場合は、これをフィードバック信号受信部２５が受信し（Ｄ５）、フィードバック部２５が、ユーザへのフィードバック（例えば携帯端末２を振動させるバイブレーション）を行う（Ｄ６）。なお、フィードバックは、コンテンツ表示部２４への表示や音の再生などにより行ってもよい。
【００３５】
なお、一定時間経過後にコンテンツが受信されない場合（Ｄ３：ＮＯ）は、携帯端末２が自身の処理を終了させる。
【００３６】
以上の動作により、表示されるコンテンツが携帯端末２の動きに応じて動くことになる。また、表示されたコンテンツが指定領域に存在するときは、ユーザへのフィードバックが行われる。
【００３７】
以上のように、第１の実施の形態によれば、コンテンツのブラウジングがスムーズに行え、しかもフィードバックにより、課金が必要な領域等をユーザへ提示することができる。
【００３８】
［第２の実施の形態］
図４は、第２の実施の形態に係るコンテンツ表示システムの構成を示す図である。これ以降の実施の形態では、それまでに説明した実施の形態の構成要素と同じ機能を有する構成要素には同一符号を付して、重複説明を省略する。
【００３９】
コンテンツ送信装置１Ａは、コンテンツ送信装置１からフィードバック信号送信部１０８を除き、コンテンツを編集するコンテンツ編集部１０９（コンテンツ編集手段）を設けたものである。
【００４０】
携帯端末２Ａは、携帯端末２から、フィードバック信号受信部２５とフィードバック部２６を除いたものである。
【００４１】
また、場合によっては、コンテンツ記憶装置３が用いられる。
【００４２】
次に、図４のコンテンツ表示システムの動作を説明する。
【００４３】
図５は、第２の実施の形態のフローチャートである。
【００４４】
図５に示すように、Ｓ４までは、第１の実施の形態と同様である。
【００４５】
ステップＳ４でＮＯと判定された場合は、コンテンツ送信部１０５は、コンテンツ記憶部１０３等に記憶されたコンテンツから当該決定された取得領域を取得し、これをコンテンツとして携帯端末２Ａに送信する（Ｓ５）。
【００４６】
一方、ステップＳ４でＹＥＳと判定された場合は、コンテンツ編集部１０９が、携帯端末２に送信されるコンテンツ内の指定領域を遮蔽するなどの編集を行い（Ｓ７）、編集されたコンテンツをコンテンツ送信部１０５が携帯端末２Ａに送信する（Ｓ５）。なお、コンテンツの編集は、例えば、表示の際に課金される部分が指定領域に含まれることを知らせるようなものでもよい。
【００４７】
また、Ｓ５以降については、Ｄ５、６が行われないことを除いて、第１の実施の形態と同様である。
【００４８】
以上の動作により、表示されるコンテンツが携帯端末２Ａの動きに応じて動くことになる。また、表示されたコンテンツが指定領域に存在するときは、編集されたコンテンツが表示される。
【００４９】
以上のように、第２の実施の形態によれば、コンテンツのブラウジングがスムーズに行え、しかもコンテンツ編集により、課金が必要な領域等をユーザへ提示することができる。
【００５０】
［第３の実施の形態］
図６は、第３の実施の形態に係るコンテンツ表示システムの構成を示す図である。
【００５１】
コンテンツ送信装置１Ｂは、コンテンツ送信装置１に対し、コンテンツを編集するコンテンツ編集部１０９（コンテンツ編集手段）を設けたものである。
【００５２】
また、携帯端末２が用いられ、場合によっては、コンテンツ記憶装置３が用いられる。  次に、図６のコンテンツ表示システムの動作を説明する。
【００５３】
図７は、第３の実施の形態のフローチャートである。
【００５４】
図７に示すように、Ｓ４までは、第１の実施の形態等と同様である。
【００５５】
ステップＳ４でＮＯと判定された場合は、コンテンツ送信部１０５は、コンテンツ記憶部１０３等に記憶されたコンテンツから当該決定された取得領域を取得し、これをコンテンツとして携帯端末２に送信する（Ｓ５）。
【００５６】
一方、ステップＳ４でＹＥＳと判定された場合は、フィードバック信号送信部１０８が、指定領域に取得領域が存在することを示すフィードバック信号を携帯端末２に送信する（Ｓ６）。また、コンテンツ編集部１０９が、携帯端末２に送信されるコンテンツ内の指定領域を遮蔽するなどの編集を行い（Ｓ７）、編集されたコンテンツをコンテンツ送信部１０５が携帯端末２に送信する（Ｓ５）。
【００５７】
なお、Ｓ５からは、第１の実施の形態と同様である。
【００５８】
以上の動作により、表示されるコンテンツが携帯端末２の動きに応じて動くことになる。また、表示されたコンテンツが指定領域に存在するときは、ユーザへのフィードバックが行われ、編集されたコンテンツが表示される。
【００５９】
以上のように、第３の実施の形態によれば、コンテンツのブラウジングがスムーズに行え、しかもフィードバックとコンテンツ編集により、課金が必要な領域等をユーザへ提示することができる。
【００６０】
［第４の実施の形態］
図８は、第４の実施の形態に係るコンテンツ表示システムの構成を示す図である。
【００６１】
コンテンツ送信装置１Ｃは、コンテンツ送信装置１に対し、動きパラメータを変換するパラメータ変換部１１０（パラメータ変換手段）を設けたものである。
【００６２】
また、携帯端末２が用いられ、場合によっては、コンテンツ記憶装置３が用いられる。  次に、図８のコンテンツ表示システムの動作を説明する。
【００６３】
図９は、第４の実施のフローチャートである。
【００６４】
図９に示すように、Ｓ２までは、第１の実施の形態等と同様であるが、次なるステップＳ８では、パラメータ変換部１１０がステップＳ２で求められた動きパラメータを変換し（Ｓ８）、続くステップＳ３では、変換後の動きパラメータを基に取得領域が決定される。
【００６５】
Ｓ８では、指定領域位置記憶部１０６等に記憶された指定領域の位置と、例えば前回に取得された取得領域の位置とに基づいて、指定領域と取得領域の距離を求め、Ｓ２で求められた動きパラメータを変換する。
【００６６】
なお、Ｓ４からは、第１の実施の形態と同様である。
【００６７】
以上の動作により、携帯端末２を動かすと表示されるコンテンツも動くことになる。また、表示されたコンテンツが指定領域に存在するときは、ユーザへのフィードバックが行われる。
【００６８】
また、表示されたコンテンツが指定領域に近づくにしたがい、近づく速度が速くあるいは遅くなり、これにより、例えば、指定領域のコンテンツの課金を行ったユーザを当該コンテンツに誘導することができ、逆に、課金を行っていないユーザにとっては当該コンテンツへの到達を困難にすることができる。
【００６９】
以上のように、第４の実施の形態によれば、コンテンツのブラウジングがスムーズに行え、しかもフィードバックとコンテンツの動きにより、課金が必要な領域等をユーザへ提示することができる。
【００７０】
［第５の実施の形態］
図１０は、第５の実施の形態に係るコンテンツ表示システムの構成を示す図である。
【００７１】
コンテンツ送信装置１Ｄは、コンテンツ送信装置１Ａに対し、パラメータ変換部１１０を設けたものである。
【００７２】
また、携帯端末２Ａが用いられ、場合によっては、コンテンツ記憶装置３が用いられる。
【００７３】
次に、図１０のコンテンツ表示システムの動作を説明する。
【００７４】
図１１は、第５の実施のフローチャートである。
【００７５】
図１１に示すように、Ｓ２までは、第１の実施の形態等と同様であるが、次なるステップＳ８では、第４の実施の形態と同様に、パラメータ変換部１１０がステップＳ２で求められた動きパラメータを変換し（Ｓ８）、続くステップＳ３では、変換後の動きパラメータを基に取得領域が決定される。
【００７６】
なお、Ｓ４からは、第２の実施の形態と同様である。
【００７７】
以上の動作により、表示されるコンテンツが携帯端末２Ａの動きに応じて動くことになる。また、表示されたコンテンツが指定領域に存在するときは、編集されたコンテンツが表示される。
【００７８】
また、表示されたコンテンツが指定領域に近づくにしたがい、近づく速度が速くあるいは遅くなり、これにより、例えば、指定領域のコンテンツの課金を行ったユーザを当該コンテンツに誘導することができ、逆に、課金を行っていないユーザにとっては当該コンテンツへの到達を困難にすることができる。
【００７９】
以上のように、第５の実施の形態によれば、コンテンツのブラウジングがスムーズに行え、しかもコンテンツ編集とコンテンツの動きにより、課金が必要な領域等をユーザへ提示することができる。
【００８０】
［第６の実施の形態］
図１２は、第６の実施の形態に係るコンテンツ表示システムの構成を示す図である。
【００８１】
コンテンツ送信装置１Ｅは、コンテンツ送信装置１Ｂに対し、パラメータ変換部１１０を設けたものである。
【００８２】
また、携帯端末２が用いられ、場合によっては、コンテンツ記憶装置３が用いられる。  次に、図１２のコンテンツ表示システムの動作を説明する。
【００８３】
図１３は、第６の実施のフローチャートである。
【００８４】
図１３に示すように、Ｓ２までは、第１の実施の形態等と同様であるが、次なるステップＳ８では、第４の実施の形態と同様に、パラメータ変換部１１０がステップＳ２で求められた動きパラメータを変換し（Ｓ８）、続くステップＳ３では、変換後の動きパラメータを基に取得領域が決定される。
【００８５】
なお、Ｓ４からは、第３の実施の形態と同様である。
【００８６】
以上の動作により、表示されるコンテンツが携帯端末２の動きに応じて動くことになる。また、表示されたコンテンツが指定領域に存在するときは、ユーザへのフィードバックが行われ、編集されたコンテンツが表示される。
【００８７】
また、表示されたコンテンツが指定領域に近づくにしたがい、近づく速度が速くあるいは遅くなり、これにより、例えば、指定領域のコンテンツの課金を行ったユーザを当該コンテンツに誘導することができ、逆に、課金を行っていないユーザにとっては当該コンテンツへの到達を困難にすることができる。
【００８８】
以上のように、第６の実施の形態によれば、コンテンツのブラウジングがスムーズに行え、しかもフィードバックとコンテンツ編集とコンテンツの動きにより、課金が必要な領域等をユーザへ提示することができる。
【００８９】
なお、上記各実施の形態では、さらに、指定領域が一定時間を超えて表示されたことの検出や、携帯端末を振る動作の検出を行い、これらが検出されたら、課金処理を行うようなシステムを構成してもよい。
【００９０】
なお、上記説明した処理をコンテンツ送信装置や携帯端末に実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００９１】
また、上記各実施の形態では、携帯端末とコンテンツ送信装置とが協働して動作する場合を説明したが、かかる動作で必要となる各ブロックを携帯端末と２以上の装置とに分けて実施を行ってもよい。逆に、各ブロックを携帯端末に集約してもよい。
【図面の簡単な説明】
【００９２】
【図１】第１の実施の形態に係るコンテンツ表示システムの構成を示す図である。
【図２】表示されるコンテンツが携帯端末２に応じて動く様子ならびに指定領域の例を示す図である。
【図３】第１の実施の形態のフローチャートである。
【図４】第２の実施の形態に係るコンテンツ表示システムの構成を示す図である。
【図５】第２の実施の形態のフローチャートである。
【図６】第３の実施の形態に係るコンテンツ表示システムの構成を示す図である。
【図７】第３の実施の形態のフローチャートである。
【図８】第４の実施の形態に係るコンテンツ表示システムの構成を示す図である。
【図９】第４の実施の形態に特有な処理のフローチャートである。
【図１０】第５の実施の形態に係るコンテンツ表示システムの構成を示す図である。
【図１１】第５の実施のフローチャートである。
【図１２】第６の実施の形態に係るコンテンツ表示システムの構成を示す図である。
【図１３】第６の実施のフローチャートである。
【符号の説明】
【００９３】
１…コンテンツ送信装置
１Ａ…コンテンツ送信装置
１Ｂ…コンテンツ送信装置
１Ｃ…コンテンツ送信装置
１Ｄ…コンテンツ送信装置
１Ｅ…コンテンツ送信装置
２…携帯端末
２Ａ…携帯端末
３…コンテンツ記憶装置
２１…カメラ
２２…映像送信部
２３…コンテンツ受信部
２４…コンテンツ表示部
２５…フィードバック信号受信部
２６…フィードバック部
１０１…映像受信部
１０２…動き推定部
１０３…コンテンツ記憶部
１０４…取得領域決定部
１０５…コンテンツ送信部
１０６…指定領域位置記憶部
１０７…存否判定部
１０８…フィードバック信号送信部
１０９…コンテンツ編集部
１１０…パラメータ変換部
【図１】
2006309618.tif 000003
【図２】
2006309618.tif 000004
【図３】
2006309618.tif 000005
【図４】
2006309618.tif 000006
【図５】
2006309618.tif 000007
【図６】
2006309618.tif 000008
【図７】
2006309618.tif 000009
【図８】
2006309618.tif 000010
【図９】
2006309618.tif 000011
【図１０】
2006309618.tif 000012
【図１１】
2006309618.tif 000013
【図１２】
2006309618.tif 000014
【図１３】
2006309618.tif 000015